(57)【要約】      （修正有）【課題】従来とは全く違った発想の暖房機の熱源を考案し、１００％安全な家庭用暖房機を提供する。【解決手段】空気をコンプレッサー１で断熱圧縮して温度を上昇させ、この熱を利用して熱交換器３で室内空気を加熱する方式であり、燃焼機構がないので火災や酸欠は起こり得ない。小容量のエアコンプレッサーが利用可能なので、電気消費量も低く経済的となり、室内空気の乾燥も防止でき、既存の暖房機の問題点である火災や酸欠事故も解決するものである。【選択図】図１
2017110894.tif 000002
【特許請求の範囲】
【請求項１】
エアコンプレッサー１で空気を断熱圧縮し、空気温度を上昇させ熱交換器兼エアタンク３に送り、この熱交換器でフアン４ににより吸引された室内空気の温度を上昇させ、室内暖房空気として利用する暖房機で、温度スイッチ１１により運転制御される
エアコンプレッサー１、コンプレッサーモーター２、熱交換器兼エアタンク３、及び熱交換器３で上昇した室内空気を室内へ送る、室内空気用フアン４室内空気温度を加減可能な温度調節機１２を備えた火災や酸欠事故のない防災型家庭用暖房機の構造。
【請求項２】
圧縮空気の温度が上がる事を熱源として暖房機に利用し、火災、酸欠事故を防止する事が可能な家庭用暖房機の考案。
【発明の詳細な説明】
【技術分野】
【０００１】  本発明は、既存の家庭用暖房機には電気ヒーター式、石油燃焼式、ガス燃焼式等がるが、これらは火災事故や酸欠による事故が発生している。
本考案は前記事故の起こらない、新構造の暖房機の考案である。
【背景技術】
【０００２】既存の家庭用暖房機は熱源をガスや灯油の燃焼、電気ヒーター利用によるものである。これら暖房機は火災、酸欠の事故が多く発生している。【０００３】下記は公的な暖房機に対する注意喚起の参考資料である。
（＊引用文献：独立行政法人製品評価技術基盤機構公表資料より）
“ＮＩＴＥ（ナイト：独立行政法人製品評価技術基盤機構、理事長：安井至、本部：東京都渋谷区）製品安全センターに通知された製品事故情報のうち、平成１８年度から平成２２年度に発生した暖房器具（※１）の事故は２，３１４件（※２）ありました。被害状況は、死亡事故１９５件（２３３人）、重傷事故６４件（９２人）、軽傷事故３６７件（５４０人）でした。１室以上の火災（※３）は、９９０件（４３％）でした。死亡事故のうち、誤使用や不注意によるものは１０１件（１１４人）ありました。暖房器具の事故を製品別にみると電気ストーブ（９４８件）、石油ストーブ（６３３件）、石油温風暖房機（２８１件）による火災等の事故が多発しています。特に石油ストーブでは６３３件中３９７件と６割以上の事故が誤使用や不注意によって発生しています。暖房器具による事故は１１月から増加すること、節電指向により石油ストーブの需要が高まっていること、今まで使っていなかった暖房器具を持ち出して使用する機会の増加も予想されること、震災後、仮設住宅など密閉された狭い住居で暖房器具を使うことによる事故の増加が予想されることから、正しく安全に使用し暖房器具による事故を防止するため注意喚起することが必要と考え、記者説明会を開催しますので、ご案内します。（※１）暖房器具のうち、電気ストーブ、石油ストーブ、ガスストーブ、電気温風暖房機（電気ファンヒータを含む）、石油温風暖房機（石油ファンヒータを含む）及びガス温風暖房機（ガスファンヒータを含む）に限る（※２）平成２３年９月３０日現在、重複、対象外情報を除いた件数（※３）柱、床など建物に火が及んだもの”【０００４】既存の暖房機は石油燃焼式、ガス燃焼式は空気燃焼による一酸化炭素の発生による酸欠事故や火災が起こり、電気ヒーター式はヒーターからの延焼による火災事故が発生しこの種事故はその構造上、１００％防止することが非常に困難である。
【先行技術文献】
【０００５】
【非特許文献】
【非特許文献】（１）文献名：  文献１：ウエブサイト：  ｈｔｔｐｓ：／／ｊａ−ｗｉｋｉｐｅｄｉａ．ｏｒｇ／ｗｉｋｉ／暖房
【発明の概要】
【発明が解決しようとする課題】
【０００６】前記の様に、現在の各種家庭用暖房装置はその構造上、１００％事故を防止する事が不可能な状況にある。
基本的に燃焼方式では換気は必須条件であり、電気ヒーター式も含めて洗濯物等への延焼の危険がある。又他の欠点として電気ヒーター式は消費電力が４００Ｗ〜１２００Ｗと非常に大きく、暖房コストが上がる欠点がある。
ガス燃焼式も同様にガスコストが高く経済的とは言えない。石油燃焼式は灯油コストは比較的経済的であるが、火災の危険や油の取扱い、保管、匂いに難点がある。
又これらの暖房機は室内空気を乾燥させる等の弊害もある。
このように、既存の各種家庭用暖房機は夫々の機種が夫々欠点を持っており完全な製品とは言い難い要素がある。
一方で最近はエアコンを設置する家庭も多くなり、このシステムは消費電力が多少大きい点を除けば、安全性の問題はない。しかし日本の住宅事情から家庭の全ての部屋にエアコンを設置出来る状況ではなく、製品価格の安いポータブルな小型暖房機の二―ズは高いものがある。７
本考案では火災事故、酸欠事故を１００％防止し、且つ消費電力も低く製品価格も安い、ある意味で理想的な家庭用室内暖房装置を提供するものである。【０００７】前記の問題の解決策（火災、酸欠事故）として既存の技術ではエアコンや床暖房がある。
しかし、前記したようにコストや電気料金の関係により全ての部屋に安全なエアコンや床暖房を装備する家庭は日本では未だ少なく従い、安価で安全な暖房器具の市場二―ズは高いものがある。【０００８】  本発明は前記事情を考慮し、既存の問題点を解決し、コストが安く火災や酸欠事故を完全に防止出来る理想的な製品を考案したものである。
【課題を解決するための手段】
【０００９】本発明は前述した既存製品の問題点を解決する為の、絶対安全、且つ消費電力も低く経済的な家庭用暖房機を図１に述べるように考案した。
基本的に火災事故や酸欠事故は燃焼発熱体を利用する事により起こる。
本発明は暖房機の熱源として燃焼発熱体を利用せず、安全な熱源として空気を断熱圧縮する事により得られる空気自身の温度上昇を熱源として利用する事を考案した。
空気は２０°Ｃ、一気圧を二気圧迄圧縮するとその温度は１０５°Ｃ迄上昇する。
某社の空気圧縮機では下記圧力―温度関係が記録されている。
１気圧で２０°Ｃ  の空気を断熱圧縮すると
１．５気圧で５８°Ｃ
２．０気圧で８５°Ｃ迄温度は上昇する。
従い、家庭用小型暖房機の熱源としては、充分な熱源となりうる。
以下詳細につき説明する。
【発明の効果】
【００１０】本発明により家庭に於ける火災、酸欠事故を根絶する。【００１１】更に電力消費を軽減し、家庭用暖房器具の問題点を解決するものである。
【図面の簡単な説明】
【００１２】
【図１】防災型家庭用暖房機の構造
【発明を実施するための形態】
【００１３】  以下図１を参照して本発明に関わる暖房機について説明する。
図１に記述の如く、本装置の基本部品は下記にて構成される。
１．エアコンプレッサー
２．コンプレッサーモーター
３．熱交換器兼エアタンク
４．フアン
５．冷却用コイルチューブ
６−１．空気吸入配管
６−２．空気吐出配管
７．防音箱
８．防熱材
９．圧力逃がし弁
１０．本体
１１．温度スイッチ
１２．温度調節機
１３．フイルター
１４．熱交換器チューブ
【００１４】１は小型エアコンプレッサーで空気を断熱圧縮することで、暖房機の熱源を発生する。２は１用モーターである。
当コンプレッサーは１１の温度スイッチによりＯＮ−ＯＦＦ運転されるが３の熱交換器兼エアタンク内空気温度を検出し２のコンプレッサーモーターを制御する。又１２の温度調節機により３のエアタンク温度は制御され同時に室内への温風温度も制御出来る。
７の防音箱は１のエアコンプレッサーの振動音を軽減させる目的で設置される
【００１５】３は円胴内に１４のチューブを多数通した、チューブ式熱交換機で、本体はエアタンクとしても作用する。本体には１１の温度スイッチの故障によりエアタンク内圧力の上昇を防止する為の圧力逃がし弁９が設けられる。
又この装置は８の防熱材は３の熱交換器を囲い、放熱損失を軽減し、同時に暖房機表面の温度上昇を防止する。
【００１６】４は室内空気を吸引し３の熱交換器で空気の温度を上昇させ、温風としこの温風を室内へ送る。５はそのフアンモーターである。
【００１７】６はコンプレッサーの圧縮空気を３のエアタンクに送り、同時に再び１に戻し、常時空気を循環させる為の配管である。
６−１はエアコンプレッサーの吸入配管で５のコイルチューブで冷却されてからコンプレッサーに戻る。６−２はコンプレッサーからの吐出配管である。
【００１８】室内空気吸入部には１３のフイルターを設け、空気清浄機の機能も付加する事が出来る。
【００１９】（１）作動説明：
エアコンプレッサー１で加圧された空気は熱交換器兼エアタンク３に空気循環配管６−１，２を通じてエアタンクを充満させ、再度エアコンプレッサーに吸入され常に循環している。もし熱や空気の放出がなければエアコンプレッサーは加熱して運転継続不可能になるが、熱交換器３で熱交換されることにより、エアコンプレッサーは温度スイッチによりエアタンク３内の空気温度を検知しながらＯＮ−ＯＦＦ運転を繰り返して、エアタンク３内の温度を一定に保つ。
前述したように、フアン４を運転する事により高温のエアタンク３内の温度は熱を放出し、フアン４から室内に温風空気が送出される。
又室内への温風の温度は温度調節機１２により調節可能である。
本考案の特徴はエアコンプレッサーを圧力検知により運転するのではなく、温度検知により運転する事である。
更に安全に配慮して、万一温度スイッチが故障した場合は逃がし弁９が作動してエアタンク３が高圧になることを防止する。
【００２０】騒音
通常エアコンの騒音は６０ｄＢと言われている。
市販の低騒音エアコンプレッサーでは標準的に６５ｄＢ以下で低いものでは４５ｄＢ以下のものもあり、更にコンプレッサーを防音箱７で囲う事で更に低騒音とすることが可能である。
【００２１】電力消費：
小型エアコンプレッサーの消費電力は風量３０Ｌ／Ｍで１８０Ｗ／Ｈ程度であり、これは電気ヒーター式の４００〜１２００Ｗと比べても低い、通常エアコン相当の風量は２０Ｌ／Ｍ＝１２００Ｌ／Ｈであるので、消費電力は電気ヒーター式の十分の一と大幅に節減できる。（但しこの数値は推定である）
又電気ヒーター式は連続使用であるが、本考案はＯＮ−ＯＦＦ運転なので、かなりの省エネとなる。
【産業上の利用の可能性】
【００２２】新考案の熱源を利用した、防災型の家庭用暖房装置は市場ニーズも高く、様々な新製品と同様に家庭用暖房機器の新たな市場拡大が望める事により産業界に大きな貢献が可能である。
【符号の説明】
【００２３】  １．エアコンプレッサー
２．コンプレッサーモーター
３．熱交換器兼エアタンク
４．フアン
５．冷却用コイルチューブ
６−１．空気吸入配管
６−２．空気吐出配管
７．防音箱
８．防熱材
９．圧力逃がし弁
１０．本体
１１．温度スイッチ
１２．温度調節機
１３．フイルター
１４．熱交換器チューブ
【図１】
2017110894.tif 000003